【事件の表示】
　特許第３０５０６１２号「スチルビデオ装置」の請求項１、３に係る特許に対する特許異議の申立てについて、次のとおり決定する。
【結　論】
　特許第３０５０６１２号の請求項１、３に係る特許を維持する。
【理　由】
I【本件発明】
　特許第３０５０６１２号（平成２年１２月２６日出願、平成１２年３月３１日設定登録。）の請求項１及び３に係る発明（以下「本件発明１」及び「本件発明３」という。）は、特許明細書及び図面の記載からみて、その特許請求の範囲の請求項１及び３に記載された次のとおりのものである。
「【請求項１】静止画を記録媒体に記録または再生するスチルビデオ装置であって、
　記録または再生時の機能に関する情報を表示させる画面表示手段と、
　前記画面表示手段によって表示された情報から所定のものを選択する選択手段と、
　前記選択手段により選択された情報を記憶する記憶手段とを備え、
　前記画面表示手段は、設定可能な記録時及び再生時の複数の機能が表示される上位のメニューと、前記複数の機能のそれぞれに対応する下位のメニューとを有し、前記下位のメニューには前記複数の機能のうち対応する機能に関する複数の動作態様が表示され、前記上位のメニューの前記複数の機能のいずれかを前記選択手段により選択すると、対応する前記下位のメニューに切り替わり、前記選択手段により前記複数の動作態様のうちの１つが選択されることを特徴とするスチルビデオ装置。
【請求項３】前記画面表示手段は、前記スチルビデオ装置とは別体に設けられることを特徴とする請求項１に記載のスチルビデオ装置。」
II【申立ての理由の概要】
（１）異議申立人島田洋は、証拠として甲第１号証：特開平２−２９２９７３号公報、参考資料１：特開平２−１２３４１５号公報を提出し、本件発明１の特許は特許法第２９条第２項の規定に違反してなされたものであるから、本件発明１の特許を取り消すべき旨主張している。
（２）異議申立人相原光政は、証拠として甲第１号証：特開平２−２５９８８０号公報、甲第２号証：特開昭６０−２１２０６４号公報を提出し、本件発明１及び３の特許は特許法第２９条第２項の規定に違反してなされたものであるから、本件発明１及び３の特許を取り消すべき旨主張している。
III【申立人が提出した甲各号証記載の発明】
（１）申立人島田洋が提出した甲第１号証：特開平２−２９２９７３号公報には、「画像情報記録再生システム」（発明の名称）に関し、図面と共に次のとおりの記載がある。
１．「本発明は、例えば電子スチルカメラで撮影し、記録された画像を必要に応じて転送したり、再生する画像情報記録再生システムに関する。」（公報第１頁右下欄第６行〜第８行）
２．「第４８図において、（ａ）は初期画面としてのメニューモードである。画面中、白抜き部がカーソルキーの選択位置を示している。（ａ）画面で「再生」を選択すると、ＴＶ７に再生表示が行われる。すなわち、「再生」で、エンターキーをオン（選択）すると、（ｂ）画面のように再生される画像が記憶された記録媒体の種類を示す画面が表われる。ここで、例えば（ｂ）画面で「ディスク」を選択すると、（ｃｌ）画面のようにディスク（ＣＤ−ＲＯＭ４に対応）内の記録ブロックに相当するアルバム番号が表示される。そして、（ｃｌ）画面で「アルバム１」を選択すると、（ｃ２）画面のような再生表示形態等を示す画面が表われ、ここで更にエンターキーを押すと、ディスクの記録領域内からアルバム１の記録画像が再生されることになる。一方、（ｂ）画面で「カード１」を選択すると、（ｃ２）画面のように、カード１内に記憶された画像の再生表示形態、あるいは検索の有無の画面が表れる。・・・（中略）・・・第４９図はメニューモードで、「コピー」を選択する場合を示す。（ａ）画面で「コピー」を選択すると、（ｂ）画面のように複数の記録媒体間での画像転送の種類が表示される。ここで、（ｂ）画面で「カード１→ディスク」を選択すると、（ｃ）画面のように、ＩＣカード１内から転送される画像を記録するブロックを示すアルバム番号が表示される。そして、（ｃ）画面で「アルバム１」を選択すると、画像転送の形態が表示される。そして、（ｄ）画面の状態でエンターキーを押すと、ＩＣカード２内の画像がディスク内のアルバムに標準画面の形態で転送されて記録される。」（公報第２２頁右上欄第１１行〜同頁右下欄第５行）
　また、同申立人が提出した参考資料１：特開平２−１２３４１５号公報には、「メニュー表示装置」（発明の名称）に関し、図面と共に次のとおりの記載がある。
１．「本発明は、コンピュータの各種機能を表示画面上でユーザに選択させるためのメニュ表示装置に関し、特に、専門的な知識を有しない一般のユーザを対象とするパーソナルコンピュータやワードプロセッサなどに好適なメニュ表示装置に関する。」（公報第１頁左下欄第２０行〜同頁右下欄第４行）
２．「これらのメニュ情報、プルダウンメニュ管理情報およびポップアップメニュ管理情報は、メニュ制御部７のメニュ情報記憶手段に記憶されている。」（公報第４頁左下欄第１５行〜第１７行）
（２）申立人相原光政が提出した甲第１号証：特開平２−２５９８８０号公報には、「画像記録再生システム」（発明の名称）に関し、図面と共に次のとおりの記載がある。
１．「前記ビデオディスクレコーダ装置４は、前記内視鏡画像入力装置２が出力するビデオ信号を入力し、これを光ディスクに記録し、また再生出力するようになっている。記録としては、動画記録、静止画記録ができるようになっている。また、再生しては、動画記録された画像の動画再生、及び動画記録あるいは静止画記録された画像の静止画再生ができるようになっている。」（公報第３頁右上欄第９行〜第１６行）
２．「前記ハードディスク１０は、プログラム、データ等の情報を記録し、前記ホストコンピュータ６との間で入出力を行なう。」（公報第４頁右上欄第１行〜第３行）
３．「ステップＰ１（以下、ステップは省略し、単にＰ１のように記す。）で、プログラムがスタートするとＰ２で、第８図に示すコマンドメニュー画面を、コンピュータディスプレイ７に表示する。第８図において、マウスカーソル１２は、マウス９を操作することでコンピュータディスプレイ７の画面上を移動する。このとき、マウスカーソル１２が「１．記録モード」、「２．検索モード」、または「３．終了」のいずれかを指し示す位置にあるときには、選択マー力１１がその指し示す位置を囲んで表示される。この選択マー力１１が表示されている状態で、操作者がマウススイッチ９ａを押し下げると、そのコマンドが選択されたとホストコンピュータ６が認識する。」（公報第５頁左上欄第５行〜第１８行）
４．「次に、第９図に示す検索メニューを、コンピュータディスプレイ７に表示し、前記Ｐ２における入力方法と同様の方法で、「動画再生」，「再生停止」，「フレーム検索」，「検索メニュー終了」のいずれかのコマンドを入力する。」（公報第６頁左上欄第５行〜第９行）
５．「次に、画像の検索，再生時は、第８図に示したコマンドメニュー画面において、操作者が「２．検索モード」を選択すると、第４図のフローチャートにより、Ｐ６の検索処理が行われる。
　この検索処理では、第６図におけるＰ１８では既に登録済みの検査の中から、例えば第２，３図における検査Ａが検索される。すると、第３図の検査Ａに登録された４個のデータが得られるが、Ｐ１９では、このうち記録開始トラックＮＯ．１をパラメータとして、トラック検索コマンドがビデオディスクレコーダ装置４に送られる。すると、検査Ａとして記録された動画像の中の最初の画像が静止画像として再生され、第２のテレビモ二夕５に表示される。
　Ｐ２０では、第９図の検索メニューがコンピュータディスプレイ７に表示され、操作者のコマンド入力待ちとなる。」（公報第８頁左下欄第１０行〜右下欄第６行）
　また、同申立人が提出した甲第２号証：特開昭６０−２１２０６４号公報には、「テレビジョン・システム」（発明の名称）に関し、図面と共に次のとおりの記載がある。
１．「第４ｂ図を参照すると、ＰＧＲＭキーを元に戻すと、文字発生器６５は、制御することのできる各種の機能の番号リストすなわちメニューを表示する［００６］。これによってユーザは、対応する一桁の数字キーを押すことによって、番号付けされた制御のための機能の１つを選択するように指示される。従って、第４ｃ図に示されるキー入力サブルーチンが開始されキー入力を待つ［００７］」（公報第８頁左上欄第５行〜第１２行）
２．「機能制御メニューが表示されている時、”１”の数字キーを押すと第４ｄ図に示されるように、画像特性の番号リストが表示され、画像制御機能が開始される［０１３］。これによりユーザは、対応する数字の付された数字キーを押すことによって、制御のために表示された特性制御メニュー上の特定の番号の付された特性を選択するよう指示される。」（公報第８頁左下欄第９行〜第１６行）
３．「ユーザは、対応する数字キーを押すことによって設定を行なうプリセット状態を選択することができる［０３４−０４０］。”１”の数字キーを押すと、鮮鋭度、輝度、コントラスト、色レベルおよび色合いの画像特性の現在のセッティングがユーザによる設定としてＥＡＲＯＭ７５のそれぞれのメモリ・ロケーンョンに貯えられ、将来、取消すこともできる。”２”の数字キーを押すと、画像特性は、ＥＡＲＯＭ７５のそれぞれのメモリ・ロケーションに前もって蓄えられたユーザによる設定にセットされる。”３“の数字キーを押すと、画像特性は、製造者による設定にセットされる［０３９，０４０］。」（公報第９頁左下欄第２行〜第１３行）　
IV【当審の判断】
《本件発明１について》
（１）本件発明１は、特許明細書の記載によれば、従来のスチルビデオ装置は、イメージセンサから取り込んだ画像情報を磁気ディスク等の記録媒体に記録すると共に、必要に応じて再生できるものであり、各種の機能とその動作態様のそれぞれに対応するスイッチを備えているので、設定される機能とその動作態様が増加すれば、それらに対応するスイッチも増加するので、使用者にとって使いづらい等の問題点に鑑み、使用者が、多数の機能や動作態様の設定を簡単かつ正確に行なうことができるスチルビデオ装置を提供することを目的として（特許明細書の段落【０００３】、【０００４】の【発明が解決しようとする課題】の記載参照）、特許請求の範囲の請求項１に記載の構成、特に、スチルビデオ装置において、「前記選択手段により選択された情報を記憶する記憶手段」の点の構成要件（以下「構成Ａ」という。）を採用したものといえる。
（２）これに対して、申立人島田洋が提出した甲第１号証：特開平２−２９２９７３号公報には、画像情報記録再生システムに関して（甲第１号証の上記１．の記載参照）、初期画面としてのメニューモード画面から「再生」を選択すると、ＴＶ７に再生表示がなされ、再生される画像が記憶された記憶媒体の種類を示す画面が現れ、ここで、例えば、「ディスク」を選択すると、ディスク内の記録ブロックに相当するアルバム番号が表示され、そして「アルバム１」を選択すると、再生表示形態等を示す画面が表われ、ここで更にエンターキーを押すと、ディスクの記録領域内からアルバム１の記録画像が再生されることになり、またメニューモードで、「コピー」を選択すると、複数の記録媒体間での画像転送の種類が表示され、ここで、「カード１→ディスク」を選択すると、ＩＣカード内から転送される画像を記録するブロックを示すアルバム番号が表示され、そして、「アルバム１」を選択すると、画像転送の形態が表示され、ＩＣカード内の画像がディスク内のアルバムに標準画面の形態で転送されて記録されることが記載されている（甲第１号証の上記２．の記載参照）。
　そこに記載の「ＴＶ７」、「エンターキー」、「画像情報記録再生システム」は、それぞれ本件発明１の「画面表示手段」、「選択手段」、「スチルビデオ装置」に対応しており、本件発明１と甲第１号証に記載の発明とは、「静止画を記録媒体に記録または再生するスチルビデオ装置であって、
　記録または再生時の機能に関する情報を表示させる画面表示手段と、
　前記画面表示手段によって表示された情報から所定のものを選択する選択手段とを備え、
　前記画面表示手段は、記録時及び再生時の複数の機能が表示される上位のメニューと、前記複数の機能のそれぞれに対応する下位のメニューとを有し、前記下位のメニューには前記複数の機能のうち対応する機能に関する複数の動作態様が表示され、前記上位のメニューの前記複数の機能のいずれかを前記選択手段により選択すると、対応する前記下位のメニューに切り替わり、前記選択手段により前記複数の動作態様のうちの１つが選択されることを特徴とするスチルビデオ装置。」といえる点で類似している。
　しかしながら、甲第１号証に記載の画像情報記録再生システムは、その記録、再生時の機能や動作態様を設定するための“選択手段により選択された情報を記憶する記憶手段”を有しているとはいえない。すなわち、本件発明１の上記構成Ａについては何も記載がなく、示唆もない。
　また、同申立人の提出した参考資料１：特開平２−１２３４１５号公報には、パーソナルコンピュータやワードプロセッサなどのメニュ表示装置において、メニュ情報、プルダウンメニュ管理情報、ポップアップメニュ管理情報を記憶する記憶手段が記載されており（参考資料１の上記１．２．の記載参照）、そこには本件発明１でいう“選択手段により選択された情報を記憶する記憶手段”は示されているといえるが、その参考資料１に記載のものは、パーソナルコンピュータやワードプロセッサなどの表示装置における単なるメニュ表示のために採用される“記憶手段”であって、甲第１号証に記載の画像情報記録再生システム（スチルビデオ装置）において、その記録、再生時の機能や動作態様を設定するために、上記“記憶手段”を採用すること、すなわち本件発明１の上記構成Ａを採用することは当業者といえども容易に想到し得るとはいえない。
　そして、同申立人主張のように、上記構成Ａが、当然に採用の予定される自明事項にすぎないといえる根拠も他に示されていない。
（３）また、異議申立人相原光政が提出した甲第１号証：特開平２−２５９８８０号公報には、画像記録再生システムに関して（甲第１号証の上記１．の記載参照）、記録モードと検索モードをコマンドニューとしてコンピュータディスプレイ７に表示し、検索モードをマウスにより選択すると、検索モードに関する検索メニューに切り替わり、そのうち１つを選択することが記載されており（甲第１号証の上記３．〜５．の記載参照）、そこに記載の「コンピュータディスプレイ７」、「マウス」、「画像記録再生システム」は、それぞれ本件発明１の「画面表示手段」、「選択手段」、「スチルビデオ装置」に対応しており、本件発明１と甲第１号証に記載の発明とは、「静止画を記録媒体に記録または再生するスチルビデオ装置であって、
　記録または再生時の機能に関する情報を表示させる画面表示手段と、
　前記画面表示手段によって表示された情報から所定のものを選択する選択手段とを備え、
　前記画面表示手段は、記録時及び再生時の複数の機能が表示される上位のメニューと、前記複数の機能のそれぞれに対応する下位のメニューとを有し、前記下位のメニューには前記複数の機能のうち対応する機能に関する複数の動作態様が表示され、前記上位のメニューの前記複数の機能のいずれかを前記選択手段により選択すると、対応する前記下位のメニューに切り替わり、前記選択手段により前記複数の動作態様のうちの１つが選択されることを特徴とするスチルビデオ装置。」といえる点で類似している。
　しかしながら、甲第１号証に記載の画像記録再生システムは、その記録、再生時の機能や動作態様を設定するための“選択手段により選択された情報を記憶する記憶手段”を有しているとはいえない。すなわち、本件発明１の上記構成Ａについては何も記載がなく、示唆もない。
　この点に関し、同申立人は、甲第１号証には、ハードディスク１０は、プログラム、データ等の情報を記録し、ホストコンピュータ６との間で入出力を行なうことが記載されており（甲第１号証の上記２．の記載参照）、そのハードディスク１０が、「記憶手段」に相当すると主張しているが、上記データ等の情報を記録するハードディスクが、本件発明１のようなスチルビデオ装置において、その記録、再生時の機能や動作態様を設定するための“選択手段により選択された情報を記憶する記憶手段”に相当する根拠が具体的に何も記載されてなく、かかる主張は採用できない。
　また、甲第２号証には、テレビジョン・システムにおいて、各種の機能の番号リスト（メニュー）を表示し、ユーザーは、１つの機能を選択でき、さらに画像特性の番号リストが表示され、その特性制御メニューから、特定の特性を選択することが記載されており（甲第２号証の上記１．２．の記載参照）、またＥＡＲＯＭ７５は、ユーザによる設定値を記憶することが記載されており（甲第２号証の上記３．の記載参照）、そこには、テレビジョンシステムのような表示装置において、“選択した設定値を記憶する記憶手段”は示されているといえるが、そのような表示のための“記憶手段”を、甲第１号証のような画像記録再生システム（スチルビデオ装置）において、その記録、再生時の機能や動作態様を設定するための“記憶手段”として採用すること、すなわち本件発明１の上記構成Ａを採用することは当業者といえども容易に想到し得るとはいえない。
　そして、本件発明１は、スチルビデオ装置において、上記構成Ａを採用することによって「本発明のスチルビデオ装置は、記録または再生時の機能に関する情報をテレビ画面に表示し、その中から所定のものを選択するようにしたので、使用者は、表示画面を見ながら、多数の機能とその動作態様の設定を簡単かつ正確に行なうことができる（特許明細書の段落【００３１】、【発明の効果】の記載）等の明細書記載の顕著な効果を奏するものと認められる。
《本件発明３について》
　本件発明３は、本件発明１を引用し、更に限定事項（「前記画面表示手段は、前記スチルビデオ装置とは別体に設けられる」点）を付加したものであるから、上記本件発明１についての判断と同様の理由により、上記甲各号証及び参考資料に記載された発明から当業者が容易になし得るものとはいえない。  
V【むすび】
　以上のとおりであるから、特許異議申立ての理由及び証拠によっては本件発明１及び３に係る発明の特許を取り消すことはできない。
　また、他に本件発明１及び３に係る特許を取り消すべき理由を発見しない。
　よって、結論のとおり決定する。
【異議決定日】
平成１３年４月１７日（２００１．４．１７）